(57)【要約】【課題】駐車実施時においてドライバによる操舵の容易化を実現する。【解決手段】車庫１５の実駐車エリアＳ１に駐車される車両２０には、駐車支援装置２２が搭載されている。駐車支援装置２２において、コントローラ３１には車載カメラ３２と車載ディスプレイ３３と操舵角センサ３４とが電気的に接続されており、車載ディスプレイ３３には車両後方の画像や推定移動軌跡などが表示される。車庫１５の床面には切替マーカ５１、手前側マーカ５２、奥側マーカ５３，５４が載置されており、それらマーカ５１〜５４は、実駐車エリアＳ１と乗降エリアＳ２との境界線であるエリア境界線４５上に直線状に並んでいる。車両２０の入庫に際して、車載ディスプレイ３３の画面上にて推定移動軌跡が各マーカ５１〜５４に合致するように運転者によりハンドル操作が行われることにより、車両２０が実駐車エリアＳ１に駐車される。【選択図】図１
2010195265.tif 000002
【特許請求の範囲】
【請求項１】
車両後方の地上面を含む車両後方画像を撮像するとともに、車両の操舵量に基づいて当該車両の予想進路を算出し、前記車両後方画像と前記予想進路を表す推定移動軌跡とを車載の表示ディスプレイに表示する駐車支援装置を有する車両を、駐車スペース内の目標駐車位置に駐車させるための駐車設備であって、
前記駐車スペースの床面に設置され、ドライバの車両操舵を伴う入庫に際し前記推定移動軌跡に合致させる指標となる基準マーカを備え、
前記基準マーカは、前記駐車スペース内において車両進行方向に直交する方向の位置が、前記目標駐車位置に応じて定められ、かつ前記駐車スペース内において車両出入口を基準としてその奥側への位置が、駐車実施時においてドライバによる操舵の戻し操作が開始される位置として定められていることを特徴とする駐車設備。
【請求項２】
前記車両出入口を挟んでその両側に側壁が設けられ、その間に前記駐車スペースが設けられている駐車設備であり、
前記側壁を挟んで前記駐車スペースとは反対側に中心があり、かつ駐車対象とされる車両の内輪側の想定最小回転半径により定められる誘導円が、前記車両出入口での側壁端部に交差することなく想定され、
前記誘導円の円周上で、前記駐車スペースの最も中心寄りの位置に前記基準マーカが設置されていることを特徴とする請求項１に記載の駐車設備。
【請求項３】
前記誘導円の中心点は、該誘導円における前記駐車スペース内方への張出寸法が道路側への張出寸法以下となる位置に設けられていることを特徴とする請求項２に記載の駐車設備。
【請求項４】
前記駐車スペースにおいては、前記目標駐車位置となる実駐車エリアと人が乗降するための乗降エリアとが横並びに設定されており、
前記誘導円は、前記実駐車エリアと前記乗降エリアとの境界線が該誘導円の接線となるように配置されており、
前記基準マーカは前記境界線と誘導円との接点に配置されていることを特徴とする請求項２又は３に記載の駐車設備。
【請求項５】
前記目標駐車位置での車両前後方向に平行に延びかつ前記基準マーカを通る直線上に、当該基準マーカとは異なる別の付属マーカが点在して設けられていることを特徴とする請求項１乃至４のいずれか１項に記載の駐車設備。
【請求項６】
前記基準マーカと前記付属マーカとが各々異なる形態で設けられていることを特徴とする請求項５に記載の駐車設備。
【請求項７】
前記基準マーカ及びそれよりも車両出入口側の前記付属マーカと、前記基準マーカよりも奥側の前記付属マーカとが各々異なる形態で設けられていることを特徴とする請求項５又は６に記載の駐車設備。
【請求項８】
前記付属マーカは、少なくとも車両出入口に設けられていることを特徴とする請求項５乃至７のいずれか１項に記載の駐車設備。
【発明の詳細な説明】
【技術分野】
【０００１】
本発明は、駐車設備に関するものである。
【背景技術】
【０００２】
車両には駐車を支援する駐車支援装置が搭載されているものがある。例えば特許文献１に記載されている駐車支援装置は、車両を後退させつつ目標駐車位置に駐車させる場合に、車両後方を車載カメラにより撮影するとともに、その撮影した後方画像に基づいて目標駐車位置を算出し、車両後方画像と目標駐車位置とを車載ディスプレイに表示させる。つまり、駐車支援装置はいわゆるバックガイドモニタ機能を有している。この場合、駐車支援装置は、車両後方の地上面に表示された白線等の区画線を後方画像から検出し、その区画線に基づいて目標駐車位置を算出する。
【先行技術文献】
【特許文献】
【０００３】
【特許文献１】特開２００６−１７５９１８号公報
【発明の概要】
【発明が解決しようとする課題】
【０００４】
しかしながら、ドライバがバックガイドモニタ機能を使用しつつ運転操作を行う場合、その都度の車両と区画線により表示された目標駐車位置との相対関係に合わせてハンドルの操作方向や操作量を調整するには困難さを伴うと考えられる。したがって、車両を目標駐車位置に駐車させるための駐車設備に関して改善の余地がある。
【０００５】
本発明は、駐車実施時においてドライバによる操舵の容易化を実現することを主たる目的とする。
【課題を解決するための手段】
【０００６】
上記課題を解決するために、第１の発明は、車両後方の地上面を含む車両後方画像を撮像するとともに、車両の操舵量に基づいて当該車両の予想進路を算出し、前記車両後方画像と前記予想進路を表す推定移動軌跡とを車載の表示ディスプレイに表示する駐車支援装置を有する車両を、駐車スペース内の目標駐車位置に駐車させるための駐車設備であって、前記駐車スペースの床面に設置され、ドライバの車両操舵を伴う入庫に際し前記推定移動軌跡に合致させる指標となる基準マーカを備え、前記基準マーカは、前記駐車スペース内において車両進行方向に直交する方向の位置が、前記目標駐車位置に応じて定められ、かつ前記駐車スペース内において車両出入口を基準としてその奥側への位置が、駐車実施時においてドライバによる操舵の戻し操作が開始される位置として定められていることを特徴とする。
【０００７】
第１の発明によれば、いわゆるバックガイドモニタ機能を有する駐車支援装置を備えた車両を駐車スペースに駐車させる際において、ドライバによる操舵の容易化を実現できる。すなわち、駐車スペースへの駐車に際し、駐車スペース床面に設置した基準マーカを指標としてドライバにより車両操舵が行われることにより、駐車スペース内において車両進行方向に直交する方向の目標駐車位置に対する位置合わせを容易に実施できる。この結果、目標駐車位置に対して車両が進行方向の左右にずれることを回避できる。
【０００８】
また、駐車実施時には、操舵量が適宜調整された後、最終的に車両が目標駐車位置に停止される際には操舵量が０に戻されることになる。上記構成では、基準マーカが、駐車実施時においてドライバによる操舵の戻し操作が開始される位置として定められているため、駐車スペース内に車両が進入していく過程でどのタイミングで戻し操作を始めればよいかを容易に判断できる。したがって、やはり駐車実施時において操舵の容易化を実現できる。
【０００９】
第２の発明では、前記車両出入口を挟んでその両側に側壁が設けられ、その間に前記駐車スペースが設けられている駐車設備であり、前記側壁を挟んで前記駐車スペースとは反対側に中心があり、かつ駐車対象とされる車両の内輪側の想定最小回転半径により定められる誘導円が、前記車両出入口での側壁端部に交差することなく想定され、前記誘導円の円周上で、前記駐車スペースの最も中心寄りの位置に前記基準マーカが設置されている。
【００１０】
第２の発明によれば、駐車実施時において、想定最小回転半径で曲がりながらの駐車、又は同想定最小回転半径よりも大きい半径で曲がりながらの駐車を好適に実施できる。
【００１１】
第３の発明では、前記誘導円の中心点は、該誘導円における前記駐車スペース内方への張出寸法が道路側への張出寸法以下となる位置に設けられている。
【００１２】
第３の発明によれば、誘導円における駐車スペース内方への張出寸法が道路側への張出寸法以下となっているため、誘導円の円周上で定められる基準マーカについて、車両出入口から奥側への位置を適正に定めることができる。すなわち、駐車スペース内方への張出寸法が道路側への張出寸法より大きいと、基準マーカの位置が駐車スペースの奥側すぎてしまい、車両が想定最小回転半径で曲がりながら駐車される場合に、基準マーカを指標とする操舵により、車両出入口での側壁端部に車両が当たってしまうことが懸念されるが、上記構成によれば、こうした不都合を抑制できる。
【００１３】
第４の発明では、前記駐車スペースにおいては、前記目標駐車位置となる実駐車エリアと人が乗降するための乗降エリアとが横並びに設定されており、前記誘導円は、前記実駐車エリアと前記乗降エリアとの境界線が該誘導円の接線となるように配置されており、前記基準マーカは前記境界線と誘導円との接点に配置されている。
【００１４】
第４の発明によれば、実駐車エリア及び乗降エリアの境界線と誘導円との接点にて操舵方向の切り替え操作を行うことが可能となるため、その切り替え操作のタイミングを好適なタイミングとすることができる。これにより、切り替え操作のタイミングが早すぎて車両の先端部が乗降エリアにはみ出したり、遅すぎて車両の後端部が乗降エリアにはみ出したりすることなく、車両を実駐車エリアに好適に駐車させることができる。
【００１５】
第５の発明では、前記目標駐車位置での車両前後方向に平行に延びかつ前記基準マーカを通る直線上に、当該基準マーカとは異なる別の付属マーカが点在して設けられている。
【００１６】
第５の発明によれば、基準マーカと付属マーカとが点在して設けられているため、駐車スペースへの駐車実施時には、車両の進行に伴い、推定移動軌跡に合致させるための指標として用いられるマーカが順を追って切り替えられることとなる。この場合、車両の進行に伴いその時々で指標となるマーカに到達する都度、ドライバが操舵量の変更を行えばよく、操作性に優れていると考えられる。つまり、比較対象として指標が白線等によりライン表示されている場合には、推定移動軌跡をライン表示に合致させるべく操舵を常時行う必要があるが、上記のごとく複数のマーカを点在させる構成では、基本的には、都度指標として用いられるマーカが切り替わるタイミングでのみ操舵を行えばよく、都度必要な操舵が容易になる。
【００１７】
第６の発明では、前記基準マーカと前記付属マーカとが各々異なる形態で設けられている。
【００１８】
第６の発明によれば、ドライバは基準マーカと付属マーカとを判別することができるため、操舵の戻し操作を開始するタイミングと、単に操舵量を変更させる操作を行うタイミングとをそれぞれ知ることができる。これにより、例えば操舵の戻し操作を開始するべきタイミングなのに操作量を変更させる操作を行ってしまうといった操作ミスを回避できる。
【００１９】
第７の発明では、前記基準マーカ及びそれよりも車両出入口側の前記付属マーカと、前記基準マーカよりも奥側の前記付属マーカとが各々異なる形態で設けられている。
【００２０】
第７の発明によれば、駐車実施時において、車両進行とともに指標にしているマーカが次に指標とするマーカとは形態が異なることにより、ドライバは操舵の戻し操作を開始するタイミングを知ることができる。これにより、例えば操舵の戻し操作を開始するべきタイミングなのに戻し操作を行わないといった操作ミスを回避できる。
【００２１】
第８の発明では、前記付属マーカは、少なくとも車両出入口に設けられている。
【００２２】
第８の発明によれば、駐車実施時に、推定移動軌跡に車両出入口の付属マーカを指標として合致させることにより、車両出入口における車両の位置が適正な位置からずれてしまうことを回避できる。車両出入口において車両の位置が左右にずれていると車両を駐車スペース内に進入させることすらできないため、車両出入口に付属マーカを配置することは効果的である。
【図面の簡単な説明】
【００２３】
【図１】本実施形態における建物の車庫周辺の構成を示す平面図。
【図２】車載ディスプレイの表示画面を示す図。
【図３】誘導円の誘導半径について説明するための図。
【図４】誘導円の位置について説明するための説明図。
【図５】車両を実駐車エリアに駐車させる際の車載ディスプレイの表示画面を示す図。
【図６】車両を実駐車エリアに駐車させる際の車両位置を段階的に示す図。
【図７】別の車庫周辺の構成を説明するための図。
【発明を実施するための形態】
【００２４】
以下、本発明を具体化した一実施形態を図面に基づいて説明する。図１は建物１０における車庫１５周辺の構成を示す平面図、図２は車載ディスプレイ３３の表示画面３７を示す図である。なお、図１においては、車両２０における駐車支援装置２２の電気的な構成を示すブロック図を平面図に加えて図示している。
【００２５】
図１に示すように、住宅等の建物１０は駐車設備としての車庫１５を有している。車庫１５は建物１０と一体的に構築されたインナガレージとなっており、自動車等の車両２０の駐車が可能な駐車スペース１６を有している。車庫１５には車両出入口１７が形成されており、車両２０は車両出入口１７を通じて駐車スペース１６への出入りが可能となっている。車両２０には、その車両２０の操舵が可能なハンドルと、駐車支援装置２２とが搭載されている。
【００２６】
駐車支援装置２２は、ＣＰＵや各種メモリ等からなるコントローラ３１を有している。駐車支援装置２２において、コントローラ３１には、車載カメラ３２と車載ディスプレイ３３と操舵角センサ３４とが電気的に接続されている。車載カメラ３２は車両後方を撮像するために車両２０の後部に設置されており、その撮像範囲には車両後方における地上面が含まれている。車載ディスプレイ３３は運転席から視認可能な位置に設置されており、車載カメラ３２の撮像データがコントローラ３１を介して入力されることにより車両後方の画像を表示する。操舵角センサ３４は例えばハンドルの操作量に基づいて車両２０の操舵角を検出し、その検出信号をコントローラ３１に対して出力する。
【００２７】
駐車支援装置２２はバックガイドモニタ機能を有している。この場合、コントローラ３１は、指令信号を出力することにより車載カメラ３２及び車載ディスプレイ３３の動作制御を行い、図２に示すように、車両後方の画像に加えて各種情報を車載ディスプレイ３３の表示画面３７に表示させる。例えば、車両後方画像や車体の幅に基づいて、車両２０の左右両側面からそれぞれ車両後方へ延びる各延長線を算出し、その各延長線を幅延長線Ａとして表示画面３７に表示させる。また、操舵角センサ３４の検出信号に基づいて、後退時における車両２０の左右両側面が通る予想進路を算出し、その予想進路を推定移動軌跡Ｂとして表示画面３７に表示させる。推定移動軌跡Ｂは左右一対となっており、それぞれ所定長さを有している。各推定移動軌跡Ｂは、例えば車両２０の後部バンパから車両後方へ向けて延びている。さらに、予想進路上における車両２０の後端部の予想位置を算出し、その予想位置を移動目安線Ｃとして表示画面３７に表示させる。移動目安線Ｃは複数設定されており、例えば左右の推定移動軌跡Ｂの各自由端を結ぶ位置と、それら推定移動軌跡Ｂの各中間部分を結ぶ位置とに表示されている。
【００２８】
図１の説明に戻り、建物１０は道路４０に隣接しており、車庫１５の駐車スペース１６は車両出入口１７を介して道路４０に通じている。この場合、車庫１５における車両進退方向は道路４０における車両進退方向に対して直交している。車庫１５は、車両出入口１７を挟んでその両側に配置された側壁４２ａ，４２ｂと、車両出入口１７に対して駐車スペース１６の奥側に配置された奥壁４３とを有している。
【００２９】
車庫１５においては、実際に車両２０が駐車される目標駐車位置としての実駐車エリアＳ１と、駐車車両２０の片側のドアが開放可能であり且つそのドア開放状態で人の乗降を可能とする乗降エリアＳ２とが設定されている。これら実駐車エリアＳ１と乗降エリアＳ２とは車両出入口１７から見て左右に配置されており、車両進退方向に直交する方向にて駐車スペース１６を２分割している。乗降エリアＳ２は実駐車エリアＳ１の片側にだけ設けられており、それら実駐車エリアＳ１と乗降エリアＳ２との境界は直線状のエリア境界線４５となっている。
【００３０】
なお、実駐車エリアＳ１の横方向の幅は車両２０の幅より大きく、車幅＋５０ｃｍ（例えば２．２ｍ）程度となっており、縦方向の長さは車両２０の全長より大きく、全長＋５０ｃｍ（例えば４．５〜６．０ｍ）程度となっている。また、乗降エリアＳ２の横方向の幅は５０ｃｍ程度となっている。
【００３１】
ここで、運転者が車両２０を実駐車エリアＳ１へさせる際に駐車支援装置２２のバックガイドモニタ機能を使用する場合、その運転者は車載ディスプレイ３３の車両後方画像や推定移動軌跡Ｂなどを見ながら、推定移動軌跡Ｂが各マーカ５１〜５４を通るようにハンドル操作を行うことになる。各マーカ５１〜５４は車庫１５の床面に載置されており、ハンドル操作を行うに際して推定移動軌跡Ｂを合致させるための指標となっている。
【００３２】
各マーカ５１〜５４のうち基準マーカとしての切替マーカ５１は、入庫に際して車両２０の操舵方向を切り替えるタイミングを示す指標となっており、車両２０を道路４０から車庫１５の実駐車エリアＳ１へ誘導するために想定された誘導円Ｍと、エリア境界線４５とが交差する点に配置されている。誘導円Ｍの半径は車両２０の回転半径Ｒと同じ大きさに設定されており、ここでは車両２０の回転半径をその車両２０の後退時における内輪側の想定最小回転半径としている。誘導円Ｍの中心点は乗降エリアＳ２側の側壁４２ａを挟んで駐車スペース１６とは反対側の位置Ｏに設定されており、この場合の誘導円Ｍは、その内部に車両出入口１７における側壁４２ａの端部を含み且つ誘導円Ｍの円周がその端部に交差せず、しかもエリア境界線４５が誘導円Ｍの接線となっている。
【００３３】
したがって、切替マーカ５１は、誘導円Ｍとエリア境界線４５との接点に配置されていることになる。この場合、切替マーカ５１の位置は、誘導円Ｍ上における駐車スペース１６の最も中心点寄りの位置である。すなわち、誘導円Ｍの中心点から遠い側の側壁４２ｂ寄りの位置である。また、本実施形態では、誘導円Ｍにおいて、側壁４２ａよりも駐車スペース１６内方へ最も張り出した張出部分の車庫側張出寸法Ｌ１が、側壁４２ａよりも道路４０側へ最も張り出した張出部分の道路側張出寸法Ｌ２と同じ大きさとなっている。ここで、車庫側張出寸法Ｌ１は、誘導円Ｍにおける車庫１５内の張出部分と誘導円Ｍの中心点側の側壁４２ａとの離間距離とされ、道路側張出寸法Ｌ２は、誘導円Ｍにおける道路４０上の張出部分と側壁４２ａにおける道路４０側の端部との離間距離とされている。
【００３４】
各マーカ５１〜５４のうち手前側マーカ５２は切替マーカ５１よりも車両出入口１７側に設置されており、奥側マーカ５３，５４は手前側マーカ５２とは切替マーカ５１を挟んで反対側（奥壁４３側）に設置されている。切替マーカ５１、手前側マーカ５２及び奥側マーカ５３，５４は付属マーカとして直線のエリア境界線４５上に所定の間隔で並べられており、手前側マーカ５２は車両出入口１７にて駐車スペース１６と外部スペースとの境界部に配置されている。
【００３５】
手前側マーカ５２はエリア境界線４５と車両出入口１７とが交差する場所に配置されている。奥側マーカ５３，５４のうち奥壁４３寄りの奥側マーカ５４は、奥壁４３に当接して又は若干離れて配置されており、手前側の奥側マーカ５３は切替マーカ５１と奥側マーカ５３との間に配置されている。
【００３６】
なお、各マーカ５１〜５４は等間隔で並んでおり、その離間距離はそれぞれ１．５〜２．０ｍ程度となっている。
【００３７】
各マーカ５１〜５４はそれぞれ円状の板部となっており、例えば円の直径は１０〜３０ｃｍ程度、厚さ寸法は１０ｃｍ程度とされている。各マーカ５１〜５４のうち、切替マーカ５１及び手前側マーカ５２は合成樹脂材料によりそれぞれ灰色に形成されており、奥側マーカ５３，５４は合成樹脂材料によりそれぞれ白色に形成されている。この場合、切替マーカ５１及び手前側マーカ５２は、奥側マーカ５３，５４とは形態が異なることになる。
【００３８】
なお、切替マーカ５１及び手前側マーカ５２の形態が奥側マーカ５３，５４の形態と異なる構成であれば、各マーカ５１〜５４の形状や大きさ、色、材質などを任意に設定してもよい。例えば、各マーカ５１〜５４を金属材料により形成してもよく、白色や灰色以外の色にて着色してもよい。また、例えば長手方向の寸法が３０ｃｍ程度であって短手方向の寸法が１０ｃｍ程度である長方形状の板部としてもよい。
【００３９】
続いて、誘導円Ｍの設定方法について、図３、図４を参照しつつ説明する。図３は誘導円Ｍの誘導半径Ｒについて説明するための図、図４は誘導円Ｍの位置について説明するための図である。
【００４０】
まず、誘導円Ｍの大きさについて説明する。図３に示すように、車庫１５の実駐車エリアＳ１に対して車両２０又はそれとは別の車両２０ａが駐車される場合、車両２０の回転半径Ｒと車両２０ａの回転半径Ｒａが異なっていれば、誘導円Ｍの半径はそれら回転半径Ｒ，Ｒａのうち大きい方の回転半径と同じ大きさに設定される。この場合、車両２０の回転半径Ｒが車両２０ａの回転半径Ｒａより大きくなっており、誘導円Ｍの円周に沿うように後退させる際に車両２０及び車両２０ａはいずれも切り返し操作を行わなくてよい。これに対して、例えば、小さい方の回転半径Ｒａと同じ大きさの半径を有する誘導円Ｍａが設定されている場合、回転半径が小さい方の車両２０ａを誘導円Ｍａの円周に沿うように後退させる際には切り返し操作を行わなくてよいが、回転半径が大きい方の車両２０を誘導円Ｍａの円周に沿うように後退させる際には切り返し操作を行う必要がある。つまり、車庫１５に駐車されることが想定される車両のうち最も回転半径の大きいものを基準にして誘導円Ｍが設定されていれば、いずれの車両２０を誘導円Ｍに沿うように後退させる際でも切り返し操作を行わなくてよい。
【００４１】
次に、誘導円Ｍの位置について説明する。上記したように誘導円Ｍはエリア境界線４５が誘導円Ｍの接線となる位置に設定されているため、誘導円Ｍの中心点と車庫１５との離間距離（換言すれば車庫側張出寸法Ｌ１）は特定されることになるが、それだけでは誘導円Ｍの中心点と道路４０との離間距離（換言すれば道路側張出寸法Ｌ２）は特定されない。
【００４２】
図４に示すように、誘導円Ｍの中心点を道路４０とは反対側に側壁４２ａと平行に移動させた位置Ｏａに想定した場合、その中心点と道路４０との離間距離は中心点と車庫１５との離間距離より大きい。つまり、車庫側張出寸法Ｌ１は道路側張出寸法Ｌ２より大きくなる。この場合、誘導円Ｍの内部に車両出入口１７における側壁４２ａの端部を含んでいれば、車両２０を誘導円Ｍの円周に沿うように後退させるとその車両２０の内輪側が側壁４２ａに接触するおそれがある。また、誘導円Ｍの内部に前記端部を含んでいなければ、車両２０の外輪側が側壁４２ａとは反対側の側壁４２ｂに接触するおそれがある。
【００４３】
また、誘導円Ｍの中心点を道路４０側に側壁４２ａと平行に移動させた位置Ｏｂに想定した場合、その中心点と道路４０との離間距離は中心点と車庫１５との離間距離より小さい。つまり、車庫側張出寸法Ｌ１は道路側張出寸法Ｌ２より小さくなる。この場合、車両２０を誘導円Ｍの円周に沿うように後退させるとその車両２０が側壁４２ａに接触することはないが、車両２０の外輪側が道路４０からはみ出るおそれがある。これらに対して、誘導円Ｍの中心点が位置Ｏに設定されている場合、車両２０が側壁４２ａに接触しないように且つその外輪側が道路４０からはみ出ないように、車両２０を誘導円Ｍの円周に沿うように後退させることができる。
【００４４】
続いて、車両２０を車庫１５内に駐車させる場合の操舵手順について、図５，図６を参照しつつ説明する。図５は、車両２０を実駐車エリアＳ１に駐車させる際の車載ディスプレイ３３の表示画面３７を示す図、図６は車両２０を実駐車エリアＳ１に駐車させる際の車両位置を段階的に示す図である。
【００４５】
まず、運転者は車両２０の斜め後方に車両出入口１７が存在するように車両２０を配置させる。この場合、図５に示すように、車載ディスプレイ３３の表示画面３７には表示される車両後方の画像には手前側マーカ５２や切替マーカ５１が含まれている。そして、運転者は車両２０を後退させつつハンドル操作を行うことにより、左右の推定移動軌跡Ｂのうち内輪側の推定移動軌跡Ｂの先端部を手前側マーカ５２、切替マーカ５１、奥側マーカ５３，５４のそれぞれにこの順番で合致させる。つまり、推定移動軌跡Ｂの先端部を、車庫１５にて直線状に並んでいる各マーカ５１〜５４に手前側のマーカから順番に合致させる。以上のように運転操作が行われた場合、車両２０は車庫１５の実駐車エリアＳ１に駐車される。
【００４６】
この場合の車両２０の動きについて説明する。まず、図６（ａ）に示すように、車両２０はその斜め後方において実駐車エリアＳ１よりも乗降エリアＳ２が車両２０側に存在する位置から、所定の操舵角にて軌道Ｎに沿うように後退する。この際、運転者は、車載ディスプレイ３３の表示画面３７において内輪側の推定移動軌跡Ｂの先端部が手前側マーカ５２を通過するようにハンドル操作を行う。これにより、車両２０は左右にずれることなく車両出入口１７に接近する。
【００４７】
その後、運転者は、手前側マーカ５２を目安としてさらに操舵角を増加させ、推定移動軌跡Ｂの先端部を切替マーカ５１に合致させる。これにより、図６（ｂ）に示すように、車両２０は誘導円Ｍに沿うように後退し、車両出入口１７から駐車スペース１６へ進入することになる。
【００４８】
そして、運転者は、切替マーカ５１を目安としてハンドルを戻すようにハンドル操作を行って推定移動軌跡Ｂの先端部を手前の奥側マーカ５３に合致させる。切替マーカ５１は、車両２０の操舵方向を切り替えるタイミングを示す操舵反転ポイントとなっており、運転者は増加させてきた操舵角をそのタイミングにて減少させ始めることになる。この場合、図６（ｃ）に示すように、車両２０は駐車スペース１６において切替マーカ５１に接近している。
【００４９】
次いで、運転者は手前の奥側マーカ５３を目安として操舵角を減少させて推定移動軌跡Ｂの先端部を奥の奥側マーカ５４に合致させ、最終的に操舵角を０度に戻す。つまり、ハンドルを車両２０が直進する状態に戻す。これにより、図６（ｄ）に示すように、車両２０は各マーカ５１〜５４の並びに沿って駐車される。つまり、エリア境界線４５に沿うようにして実駐車エリアＳ１内に駐車される。この場合、車庫１５における前後方向と車両２０の進退方向とが一致した状態となる。
【００５０】
以上詳述した本実施形態によれば、以下の優れた効果が得られる。
【００５１】
車庫１５において、実駐車エリアＳ１と乗降エリアＳ２との境界部（エリア境界線４５）に沿って切替マーカ５１、手前側マーカ５２、奥側マーカ５３，５４が直線状に並ぶように配置されており、車載ディスプレイ３３の表示画面３７において、車両２０の側面が通る予想進路として推定移動軌跡Ｂが表示される。この場合、運転者はその推定移動軌跡Ｂが各マーカ５１〜５４を通るようにハンドル操作を行うことにより、車両２０をエリア境界線４５に沿わせるように実駐車エリアＳ１に駐車させることができるため、実際の駐車位置が実駐車エリアＳ１に対して左右にずれることを回避できる。
【００５２】
また、運転者は、表示画面３７において手前側マーカ５２を目安とすることにより操舵角の増加タイミングを知ることができ、切替マーカ５１を目安とすることにより操舵方向の切り替えタイミングを知ることができる。加えて、奥側マーカ５３，５４を目安とすることにより操舵角の減少タイミングを知ることができる。したがって、運転者は操舵角の調整（ハンドル操作）を常時ではなく所定のタイミングにて複数回だけ行えば車両２０を実駐車エリアＳ１に駐車させることができる。なお、例えば、車庫１５の床面にエリア境界線４５を示す白線が表示されている構成では、運転者は推定移動軌跡Ｂを白線に合致させるために操舵角の調整を常時行う必要があるため、そのハンドル操作には困難さを伴うことになってしまう。
【００５３】
以上の結果、駐車実施時において、運転者による操舵の容易化を実現することができる。
【００５４】
切替マーカ５１は誘導円Ｍとエリア境界線４５との接点に配置されているため、運転者は切替マーカ５１を目安として車両２０の操舵方向を切り替えることにより、車両２０をエリア境界線４５に沿うように駐車させることができる。つまり、車両２０の先端部や後端部が乗降エリアＳ２にはみ出すことを回避できる。なお、例えば切替マーカ５１が誘導円Ｍの円周上であって前記接点より手前側に配置されていると、操舵方向の切り替えタイミングが早くなり、車両２０の先端部が乗降エリアＳ２へはみ出してしまうおそれがある。また、切替マーカ５１が誘導円Ｍの円周上であって前記接点より奥側に配置されていると、操舵方向の切り替えタイミングが遅くなり、車両２０の後端部が乗降エリアＳ２へはみ出してしまうおそれがある。
【００５５】
誘導円Ｍにおいて、車庫側張出寸法Ｌ１と道路側張出寸法Ｌ２とが同じ大きさとなっているため、車両２０の内輪側が側壁４２ａに接触したり外輪側が側壁４２ｂに接触したりすることや、旋回時に車両２０が道路４０からはみ出すことを回避しつつ、車両２０を実駐車エリアＳ１に駐車させることができる。
【００５６】
切替マーカ５１及び手前側マーカ５２は、奥側マーカ５３，５４とは色が異なっているため、運転者は車載ディスプレイ３３の表示画面３７において、現在の指標と次の指標とを見比べることにより、現在の指標がマーカ５１〜５４のいずれであるかを判別することができる。この場合、切替マーカ５１と奥側マーカ５３，５４とを誤判別してしまうことがないため、切替マーカ５１にて操舵方向の切り替え操作を行わずに、手前の奥側マーカ５３を次の指標としてしまうといった操作ミスを回避できる。したがって、車両２０の駐車操作を好適に行うことができる。
【００５７】
手前側マーカ５２がエリア境界線４５と車両出入口１７とが交差する場所に配置されているため、車両出入口１７において車両２０が駐車スペース１６から左右にずれてしまうことを回避できる。この場合、車両２０を側壁４２ａ，４２ｂに接触させることなく車両出入口１７から車庫１５内に進入させることができる。
【００５８】
（他の実施形態）
本発明は上記実施形態の記載内容に限定されず、例えば次のように実施してもよい。
【００５９】
（１）上記実施形態では、車庫１５と道路４０とは各車両進退方向が互いに直交するように配置されているが、車庫１５と道路４０との各車両進退方向は直交してなくてもよい。例えば、図７（ａ）に示すように、車庫１５と道路４０とは各車両進退方向が平行に延びるように配置されている構成とする。
【００６０】
この例では、車庫１５の側壁４２ａ，４２ｂが道路４０と平行に延びており、道路４０側の側壁４２ａにより道路４０と駐車スペース１６とが仕切られている。車両出入口１７は側壁４２ａの開放側の端部に設けられており、車両出入口１７と道路４０とは連絡通路６１により通じている。車両２０は道路４０を通ることにより道路４０と車庫１５とを行き来することが可能となっている。車庫１５においては、乗降エリアＳ２が道路４０側に配置されており、実駐車エリアＳ１が乗降エリアＳ２を挟んで道路４０とは反対側に配置されている。また、上記実施形態と同様に、車庫１５には切替マーカ５１、手前側マーカ５２、奥側マーカ５３，５４が設置されている。
【００６１】
この構成では、車両２０を実駐車エリアＳ１に駐車させる場合に、道路４０から縦列駐車を行うことになる。ここでは、縦列駐車に際しての車両２０の動きについて説明する。まず、図７（ａ）に示すように、車両２０は後退しながら旋回して連絡通路６１に進入する。この際、運転者は、車載ディスプレイ３３の表示画面３７において、エリア境界線４５に沿わせる方の推定移動軌跡Ｂの先端部が手前側マーカ５２を通過するようにハンドル操作を行う。その後、運転者は、手前側マーカ５２を目安としてさらに操舵角を増加させ、推定移動軌跡Ｂの先端部を切替マーカ５１に合致させる。これにより、図７（ｂ）に示すように、車両２０は誘導円Ｍに沿うように後退して車両出入口１７に接近する。
【００６２】
そして、運転者は、切替マーカ５１を目安としてハンドルを戻すようにハンドル操作を行う。切替マーカ５１は操舵反転ポイントとなっており、運転者は増加させてきた操舵角を減少させ始める。特に、縦列駐車に際しては、操舵反転ポイントにて操舵角を０に戻すだけでなくそこから逆の操舵方向に向けて操舵角を増加させ、推定移動軌跡Ｂの先端部を手前の奥側マーカ５３に合致させる。これにより、図７（ｃ）に示すように、車両２０は駐車スペース１６を挟んで道路４０とは反対側の側壁４２ｂに接触することなく車両出入口１７から駐車スペース１６に進入する。
【００６３】
次いで、運転者は手前の奥側マーカ５３を目安としてハンドルを再び戻すようにハンドル操作を行う。ここでは、手前の奥側マーカ５３が２度目の操舵反転ポイントとなっており、運転者は逆方向に増加させてきた操舵角を０に向けて減少させ始め、推定移動軌跡Ｂの先端部を奥の奥側マーカ５４に合致させる。これにより、図７（ｄ）に示すように、車両２０はエリア境界線４５に沿うようにして実駐車エリアＳ１内に駐車される。
【００６４】
したがって、縦列駐車を実施する際において、運転者による操舵の容易化を実現することができる。
【００６５】
（２）上記実施形態では、切替マーカ５１及び手前側マーカ５２の形態が奥側マーカ５３，５４の形態と異なっているが、切替マーカ５１の形態が他のマーカ５２〜５４の形態と異なっていてもよい。この場合、運転者は車載ディスプレイ３３の表示画面３７において切替マーカ５１と奥側マーカ５３，５４とを判別することはもちろんのこと、切替マーカ５１を手前側マーカ５２と判別することができる。したがって、例えば操舵方向の切り替え操作を行うべきタイミングにて操舵角の増加操作を継続して行ってしまうといった操作ミスを回避できる。
【００６６】
（３）車庫１５には少なくとも切替マーカ５１が設置されていればよい。運転者が車両２０の旋回を伴う駐車操作を行うに際して、操舵方向を切り替えるタイミングが遅かったり早かったりすると目標駐車位置に対して車両２０がずれてしまう可能性が高いと考えられる。したがって、切替マーカ５１により操舵方向の切り替えタイミングを運転者に知らせることは操舵の容易化を実現する上で効果的である。
【００６７】
また、手前側マーカ５２は複数設置されていてもよく、奥側マーカ５３，５４はいずれか一方だけ設置されていてもよい。
【００６８】
（４）各マーカ５１〜５４には点灯又は点滅可能なランプ等の発光手段が設けられていてもよい。例えば、切替マーカ５１が発光可能な構成とされている場合、夜間であっても運転者は車載ディスプレイ３３の表示画面３７において切替マーカ５１と他のマーカ５２〜５４とを判別することができる。また、手前側マーカ５２が発光可能な構成とされている場合、夜間であっても運転者は表示画面３７において手前側マーカ５２の位置を知ることができる。つまり、車両出入口１７の位置を知ることができる。したがって、車両２０を車両出入口１７における側壁４２ａ，４２ｂの端部に接触させてしまうことを回避できる。さらに、各マーカ５１〜５４のうち複数のマーカが発光可能な構成とされている場合、夜間であってもそれらマーカによりあたかもエリア境界線４５が表示されているかのような状態となるため、運転者は実駐車エリアＳ１の位置を容易に知ることができる。
【００６９】
（５）車載ディスプレイ３３の表示画面３７には、車両２０に対して左右一対の推定移動軌跡Ｂが表示されているが、推定移動軌跡Ｂは左右のうち一方だけが表示されてもよく、車両２０に対して中央に表示されていてもよい。つまり、車両２０の走行に伴って移動する部分の予想進路が推定移動軌跡Ｂとして表示画面３７に表示されていればよい。ただし、推定移動軌跡Ｂに対応する部分を変更した場合、車庫１５における各マーカ５１〜５４の位置をそれに合わせて変更する必要がある。例えば、車両２０の中央が通る予想進路を推定移動軌跡Ｂとした場合、各マーカ５１〜５４を実駐車エリアＳ１の中央にて車両進退方向に並ぶように配置する必要がある。
【００７０】
（６）車庫１５には切替マーカ５１が複数設置されていてもよい。例えば、実駐車エリアＳ１における乗降エリアＳ２側の端部に加えて、実駐車エリアＳ１における乗降エリアＳ２とは反対側の端部に切替マーカ５１が設置されている構成とする。この場合、運転者は、実駐車エリアＳ１の両端に設置された各切替マーカ５１のいずれかをハンドル操作の切り替えポイントの指標として適宜使用することができる。つまり、内輪側の切替マーカ５１を指標として使用することが困難な場合は、外輪側の切替マーカ５１を指標として使用することができる。
【００７１】
（７）各マーカ５１〜５４は、建物１０とは独立して構築された車庫１５の駐車スペースに設置されていてもよく、屋外に開放された駐車場の駐車スペースに設置されていてもよい。
【符号の説明】
【００７２】
１５…駐車設備としての車庫、１６…駐車スペース、１７…車両出入口、２０…車両、２２…駐車支援装置、３３…車載ディスプレイ、４０…道路、４２ａ…側壁、４２ｂ…側壁、４５…境界線としてのエリア境界線、５１…基準マーカとしての切替マーカ、５２…付属マーカとしての手前側マーカ、５３…付属マーカとしての奥側マーカ、５４…付属マーカとしての奥側マーカ、Ｌ１…駐車スペース内方への張出寸法としての車庫側張出寸法、Ｌ２…道路側への張出寸法としての道路側張出寸法、Ｍ…誘導円、Ｓ１…目標駐車位置としての実駐車エリア、Ｓ２…乗降エリア。
【図１】
2010195265.tif 000003
【図２】
2010195265.tif 000004
【図３】
2010195265.tif 000005
【図４】
2010195265.tif 000006
【図５】
2010195265.tif 000007
【図６】
2010195265.tif 000008
【図７】
2010195265.tif 000009